(57)【要約】【課題】温度変化による光学性能の劣化を防止しつつ、温度変化による光学部品の脱落を防止できるレンズ保持構造、光ピックアップ装置および光学式情報記録再生装置を提供する。【解決手段】この光ピックアップ装置４では、光学台２０が、コリメータレンズ１９に対してＹ軸方向負側に隙間Ｓを介して配置された第１支持部２４と、Ｙ軸方向正側に配置されコリメータレンズ１９と接着固定される第２支持部２５と、を有している。第２支持部２５には押圧部材３０が固定されている。押圧部材３０はコリメータレンズ１９を押圧している。【選択図】図４
2008192214.tif 000002
【特許請求の範囲】
【請求項１】
レンズと、
前記レンズの外周部と当接する当接部を有する支持部材と、
前記支持部材に固定され、前記レンズを前記当接部に押圧する押圧部材と、を備え、
前記当接部は、前記レンズに対して前記レンズの光軸に垂直な第１方向の一方側に配置されており、
前記支持部材は、前記レンズに対して前記光軸および第１方向に垂直な第２方向の一方側に隙間を介して配置された第１支持部と、前記第２方向の他方側に隙間を介して配置された第２支持部と、を有しており、
前記レンズは、前記第２支持部に接着固定されており、
前記押圧部材は、前記第２支持部に固定されている、
レンズ保持構造。
【請求項２】
前記押圧部材は、前記レンズを前記当接部へ押圧するとともに、前記レンズを前記第２方向の他方側へ押圧している、
請求項１に記載のレンズ保持構造。
【請求項３】
前記光軸に沿った方向から見た場合、前記押圧部材およびレンズの接点における法線は、前記光軸周辺を通る、
請求項２に記載のレンズ保持構造。
【請求項４】
前記押圧部材は、前記第２支持部に固定され前記レンズに対して前記第１方向の他方側に配置された板状の第１部分と、前記第１部分の端部に形成され前記レンズと当接する板状の第２部分と、を有しており、
前記第２部分が前記レンズと当接する面は、前記第１方向の一方側および第２方向の他方側を向いている、
請求項１から３のいずれかに記載のレンズ保持構造。
【請求項５】
前記押圧部材は、前記レンズが接着固定されている部分の前記第１方向の他方側に配置され前記第１方向に貫通する開口部を有している、
請求項１から４のいずれかに記載のレンズ保持構造。
【請求項６】
前記第１支持部は、前記第２方向の他方側に突出する突出部を有しており、
前記押圧部材は、前記突出部の前記第１方向の一方側に配置され前記突出部と前記第１方向に係合する第３部分を有している、
請求項１から５のいずれかに記載のレンズ保持構造。
【請求項７】
前記第３部分は、前記突出部との接触部分に切欠部を有している、
請求項６に記載のレンズ保持構造。
【請求項８】
前記当接部は、前記レンズの外周部と当接し前記第２方向へ前記レンズが移動するのを規制している１対の規制部を有している、
請求項１から７のいずれかに記載のレンズ保持構造。
【請求項９】
光学式情報記録媒体に対して情報の記録および再生を行う光ピックアップ装置であって、
レーザー光を出射する発光素子と、
前記レーザー光を反射する反射光学系と、
前記反射光学系からのレーザー光を平行光に変換するコリメータレンズと、
前記平行光を前記光学式情報記録媒体の記録面上に集光する対物光学系と、
前記発光素子、コリメータレンズ、反射光学系を収容する光学台と、を備え、
前記コリメータレンズは、請求項１から８のいずれかに記載のレンズ保持構造により、前記光学台に対して保持されている、
光ピックアップ装置。
【請求項１０】
前記光学式情報記録媒体を駆動する回転駆動装置と、
請求項９に記載の光ピックアップ装置と、
を備えた、光学式情報記録再生装置。
【発明の詳細な説明】
【技術分野】
【０００１】
本発明は、レンズ保持構造、光ピックアップ装置および光学式情報記録再生装置、特に、光学式情報記録媒体に対して情報信号を記録もしくは再生を行うための光ピックアップ装置に関するものである。
【背景技術】
【０００２】
従来から、レンズなどの光学部品は様々な装置に用いられている。レンズが搭載された装置として、例えば光学式情報記録媒体に対して情報の記録および再生を行う光学式情報記録再生装置が知られている。光学式情報記録再生装置には光ピックアップ装置が搭載されている。光学式情報記録再生装置は、光ピックアップ装置を用いて、光学式情報記録媒体である光ディスク等に対してオーディオ信号、文字信号および映像信号等の情報を記録または再生を行う。
この光ピックアップ装置には、発光素子としての半導体レーザー素子および受光素子が設けられている。光ピックアップ装置では、半導体レーザー素子から出射されるレーザー光が、光ディスク等の情報記録面に照射されることで記録マークが記入され、情報の記録が行われる。また、光ピックアップ装置から情報記録面に照射されたレーザー光の反射光を受光素子としての光検出器で受光することで、情報の再生が行われる。
【０００３】
近年、光学式情報記録再生装置は、薄型ノートパソコン等に用いられる。このため、光ピックアップ装置も含めて光学式情報記録再生装置の小型化および高密度化が進んでいる。したがって、光ピックアップ装置は、半導体レーザー素子の発熱の影響を強く受け、高温条件下で動作している。
また、近年では情報を記録または再生する速度の向上が要求されている。記録再生の高速化のためには、出力の高い半導体レーザー素子を用いる必要がある。このため、半導体レーザーの発振時に発生する熱量は大きくなる。例えば、現在の光ピックアップ装置に使用されているＤＶＤ−ＲＡＭ用半導体レーザー素子では、２倍速記録における発振時の温度は環境温度に対して１０〜１５℃程度上昇する。
さらに、半導体レーザー素子は、動作温度が高温になるとレーザー光の発光パワーが低下するため、低下した発光パワーに相当する駆動電流を増大しなければならない。そのため、消費電力が増加して半導体レーザー素子は高温となる。
【０００４】
このように、光ピックアップ装置において、小型化と発熱量の増化による高発熱密度化は重要な課題であり、従来から種々の提案がなされている（例えば、特許文献１を参照。）。
また、温度変化に伴う光学性能の劣化を防止するために、従来から様々なレンズ保持構造が提案されている（例えば、特許文献２〜４を参照）。
さらに、衝撃などによるレンズの位置ずれを防止できるレンズ保持構造が提案されている（例えば、特許文献５、６を参照）。
【特許文献１】特開平９−３３５８７３号公報
【特許文献２】特開昭６２−１４７４１３号公報
【特許文献３】特開昭６０−２５６１０９号公報
【特許文献４】特開２０００−１９５０８３号公報
【特許文献５】特開平２−２４４４３１号公報
【特許文献６】特開平５−１１２０２号公報
【発明の開示】
【発明が解決しようとする課題】
【０００５】
ここで、図１２を用いて従来の光ピックアップ装置およびそのレンズ保持構造について説明する。図１２に従来の光ピックアップ装置の概略構成図を示す。図１２に示すように、光ピックアップ装置４０４は主に、レーザー光を出射する発光素子４１６と、光ディスク（図示せず）で反射されたレーザー光の反射光を検出して電流に変換する受光素子（図示せず）と、発光素子４１６を支持するスライドホルダ４１７と、スライドホルダ４１７を支持するアオリホルダ４１８と、アオリホルダ４１８を支持する光学台４２０と、発光素子４１６から出射されるレーザー光を反射するプリズム４１１と、レーザー光を平行光に変換するコリメータレンズ４１９と、レーザー光の焦点を光ディスクの情報記録面に合わせるための対物レンズ４１３と、対物レンズ４１３を光ディスクに対してフォーカス方向またはトラッキング方向に駆動させるアクチュエータ４１５と、から構成されている。光ピックアップ装置４０４は、光ディスクの情報記録面に平行に移動可能なように一対の支持軸４０９ａ、４０９ｂにより支持されている。
【０００６】
レーザー光の光軸調整は、図１２に示すスライドホルダ４１７およびアオリホルダ４１８により行われる。具体的には、光軸調整治具４７１、４７２を用いてアオリホルダ４１８で支持される面に平行にスライドホルダ４１７を移動させることで、光軸の位置調整が行われる。また、光学台４２０で支持される球面に沿ってアオリホルダ４１８を回転させることで、レーザー光の出射角度の調整が行われる。したがって、光学台４２０には、発光素子４１６だけでなくスライドホルダ４１７およびアオリホルダ４１８を収容するスペースおよび光軸調整治具４７１、４７２を挿入するスペースが必要となる。
例えば、発光素子４１６を光学台４２０の支持軸４０９ａ側に設置した場合、光学台４２０において支持軸４０９ａが貫通する部分に、これらのスペースを確保する必要がある。このため、発光素子４１６を光学台４２０の支持軸４０９ａ側に設置すると、光学台４２０が大きくなり、この結果、光ピックアップ装置４０４の小型化が困難となる。したがって、発光素子４１６は光学台４２０の移動方向（図１２においてはＹ軸方向）のいずれか一方に配置されている。この配置を実現するために、発光素子４１６とコリメータレンズ４１９との間にプリズム４１１が配置されている。
【０００７】
また、図１２において、対物レンズ４１３のＹ軸方向正側に発光素子４１６を設置すると、光ディスクを駆動するステッピングモータと発光素子４１６が干渉する可能性がある。このため、図１２に示すように、発光素子４１６は光ディスクの外周側（Ｙ軸方向負側）に設置する必要がある。
しかし、このような発光素子４１６の配置は、光ピックアップ装置４０４の光学性能に悪影響を及ぼす。具体的には図１２に示すように、発光素子４１６の熱が、スライドホルダ４１７、アオリホルダ４１８および光学台４２０を経由してコリメータレンズ４１９の周辺に伝わる。通常、コリメータレンズ４１９は２カ所の側面で光学台４２０に接着固定されている。このため、図１２に示すように、コリメータレンズ４１９の発光素子４１６に近い側（Ｙ軸方向負側）の支持面が高温になり、コリメータレンズ４１９のＹ軸方向の両端で温度差が生じる。
【０００８】
コリメータレンズ等の樹脂部品は温度による屈折率の変化がガラスに比べると大きい。このため、コリメータレンズ４１９において温度差が生じると、コリメータレンズ４１９の屈折率が部分ごとで変化する。この結果、コリメータレンズ４１９において光学収差に変化が生じ、光ピックアップ装置４０４の光学性能が低下する。
このように、コリメータレンズの温度を均一にすることは光ピックアップ装置の性能を確保する上で、非常に重要である。
さらに、雰囲気温度の変化に伴い、コリメータレンズの位置が変化する場合がある。図１３は、図８のＣ−Ｃ断面図である。図１３に示す矢印は、雰囲気温度の変化によりコリメータレンズ４１９と接着剤４２８との収縮によって発生する応力を示している。図１３に示すように、雰囲気温度が下がりコリメータレンズと接着剤が収縮することで、接着剤４２８とコリメータレンズ４１９との間には互いに引っ張り合う力Ｆ１１、Ｆ１２が働き、コリメータレンズ４１９の位置が変化する。この結果、光ピックアップ装置４０４の性能が低下する。雰囲気温度が上がりコリメータレンズ４１９と接着剤４２８とが膨張する場合も同様である。また、コリメータレンズ４１９と接着剤４２８とが収縮する場合、コリメータレンズ４１９と接着剤４２８との界面にせん断力が生じ、接着剤４２８がコリメータレンズ４１９から剥離するおそれがある。
【０００９】
このように、光ピックアップ装置などの光学部品を用いる装置においては、温度変化による光学性能の劣化を防止しつつ、温度変化による光学部品の脱落を防止することが求められている。
本発明の課題は、温度変化による光学性能の劣化を防止しつつ、温度変化による光学部品の脱落を防止できるレンズ保持構造、光ピックアップ装置および光学式情報記録再生装置を提供することにある。
【課題を解決するための手段】
【００１０】
第１の発明に係るレンズ保持構造は、レンズと、レンズの外周部と当接する当接部を有する支持部材と、支持部材に固定され、レンズを当接部に押圧する押圧部材と、を備えている。当接部は、レンズに対してレンズの光軸に垂直な第１方向の一方側に配置されている。支持部材は、レンズに対して光軸および第１方向に垂直な第２方向の一方側に隙間を介して配置された第１支持部と、第２方向の他方側に隙間を介して配置された第２支持部と、を有している。レンズは、第２支持部に接着固定されている。押圧部材は、第２支持部に固定されている。
このレンズ保持構造では、例えば、第１支持部側に熱源が配置されている場合、第１支持部の温度は第２支持部の温度よりも高くなる。このとき、第１支持部とレンズとの間には隙間が確保されている。このため、第１支持部からレンズへ熱が伝わるのを抑制することができ、レンズの温度勾配を低減することができる。これにより、レンズの光学性能の劣化を防止できる。
【００１１】
また、このレンズ保持構造では、レンズの一端が第２支持部に接着固定されており、第２支持部に固定された押圧部材によりレンズは支持部材に押圧されている。このため、雰囲気温度が変化し、レンズ、支持部材および押圧部材が膨張および収縮しても、レンズと接着剤との間に作用する応力を低減することができ、レンズの脱落を防止できる。
このように、このレンズ保持構造では、温度変化による光学性能の劣化を防止しつつ、温度変化による光学部品の脱落を防止できる。
第２の発明に係るレンズ保持構造は、第１の発明に係るレンズ保持構造において、押圧部材は、レンズを当接部へ押圧するとともに、レンズを第２方向の他方側へ押圧している。
これにより、膨張および収縮によりレンズが第２方向へ移動するのを確実に抑制できる。
【００１２】
第３の発明に係るレンズ保持構造は、第２の発明に係るレンズ保持構造において、光軸に沿った方向から見た場合、押圧部材およびレンズの接点における法線が光軸周辺を通る。
この場合、レンズの膨張および収縮により発生する応力に対抗する荷重をレンズに付与することができ、レンズの位置がより安定する。
ここで、「光軸周辺」には、法線が光軸を通る場合の他に、上記の効果が得られる程度に法線と光軸とがずれている場合も含まれる。
第４の発明に係るレンズ保持構造は、第１から第３のいずれかの発明に係るレンズ保持構造において、押圧部材が、第２支持部に固定されレンズに対して第１方向の他方側に配置された板状の第１部分と、第１部分の端部に形成されレンズと当接する板状の第２部分と、を有している。第２部分がレンズと当接する面は、第１方向の一方側および第２方向の他方側を向いている。
【００１３】
第５の発明に係るレンズ保持構造は、第１から第４のいずれかの発明に係るレンズ保持構造において、押圧部材が、レンズが接着固定されている部分の第１方向の他方側に配置され第１方向に貫通する開口部を有している。
この場合、レンズを支持部材にセットし押圧部材を固定した後に、開口部を利用して接着剤の充填作業を行うことができる。これにより、接着作業を行う際のレンズの位置が安定し、接着工程の時間を短縮できる。
第６の発明に係るレンズ保持構造は、第１から第５のいずれかの発明に係るレンズ保持構造において、第１支持部が第２方向の他方側に突出する突出部を有している。押圧部材は突出部の第１方向の一方側に配置され突出部と第１方向に係合する第３部分を有している。
【００１４】
この場合、第１部分および第２部分の弾性力に加えて、第３部分が突出部から受ける荷重がレンズに作用する。これにより、レンズをより確実に押圧することができる。
第７の発明に係るレンズ保持構造では、第６の発明に係るレンズ保持構造において、第３部分が突出部との接触部分に切欠部を有している。
この場合、第３部分と突出部との接触面積が小さくなり、第１支持部から押圧部材への伝熱量が低減される。
第８の発明に係るレンズ保持構造は、第１から第７のいずれかの発明に係るレンズ保持構造において、当接部が、レンズの外周部と当接し第２方向へレンズが移動するのを規制している１対の規制部を有している。
これにより、支持部材に対するレンズの位置がより安定する。
【００１５】
第９の発明に係る光ピックアップ装置は、光学式情報記録媒体に対して情報の記録および再生を行う光ピックアップ装置であって、レーザー光を出射する発光素子と、レーザー光を反射する反射光学系と、反射光学系からのレーザー光を平行光に変換するコリメータレンズと、平行光を光学式情報記録媒体の記録面上に集光する対物光学系と、発光素子、コリメータレンズ、反射光学系を収容する光学台と、を備えている。コリメータレンズは、第１から第８のいずれかの発明に係るレンズ保持構造により、光学台に対して保持されている。
この光ピックアップ装置では、第１から第８の発明に係るレンズ保持構造が用いられている。このため、温度変化による光学性能の劣化を防止しつつ、温度変化による光学部品の脱落を防止することができる。
【００１６】
第１０の発明に係る光学式情報記録再生装置は、光学式情報記録媒体を駆動する回転駆動装置と、第９の発明に係る光ピックアップ装置と、を備えている。
この光学式情報記録再生装置では、第９の発明に係る光ピックアップ装置が搭載されている。このため、温度変化による光学性能の劣化を防止しつつ、温度変化による光学部品の脱落を防止することができる。
【発明の効果】
【００１７】
本発明に係るレンズ保持構造、光ピックアップ装置および光学式情報記録再生装置では、上記の構成を有しているため、温度変化による光学性能の劣化を防止しつつ、温度変化による光学部品の脱落を防止できる。
【発明を実施するための最良の形態】
【００１８】
以下、図面を参照しながら本発明の実施形態について説明する。
〔第１実施形態〕
＜記録再生装置の構成＞
図１および図２を用いて、本発明の第１実施形態に係る光ピックアップ装置４が搭載された光学式情報記録再生装置（以下、記録再生装置という）１の構成について説明する。図１に記録再生装置１の概略斜視図、図２に記録再生装置１の部分斜視図を示す。
図１に示すように、光学式ディスクドライブとしての記録再生装置１は主に、光ディスク２が内蔵されるカートリッジ３と、トラバースベース６と、トラバースベース６上に設置され光ディスク２を回転させる回転駆動装置としてのスピンドルモータ７と、光ディスク２に対して情報の記録および再生を行う光ピックアップ装置４と、光ディスク２に対して光ピックアップ装置４を移動可能に支持する移動機構５と、から構成されている。使用状態においては、図１に示すように、カートリッジ３に内蔵された光ディスク２が記録再生装置１内に設置される。
【００１９】
移動機構５は主に、光ピックアップ装置４を移動させるための２本のシャフト９ａ，９ｂと、一方のシャフト９ａを回転させるモータ（図示せず）を備えた支持台１０とから構成されている。一方のシャフト９ａが回転することで、光ピックアップ装置４が光ディスク２の半径方向に移動する。他方のシャフト９ｂは、光ピックアップ装置４を移動可能に支持している。光ピックアップ装置４はシャフト９ｂに沿って移動する。これにより、光ピックアップ装置４は光ディスク２に対して、外周側および内周側に移動可能である。なお、光ピックアップ装置４を光ディスク２に対して移動させる機構は、上述の機構に限定されない。
図２に示すように、光ディスク２はカートリッジ３に内蔵されて保護されている。カートリッジ３には開口部３ａが形成されており、開口部３ａでは光ディスク２が外部に露出している。開口部３ａに対応する位置には、光ピックアップ装置４が光ディスク２の半径方向に移動可能に配置されている。
【００２０】
＜光ピックアップ装置の構成＞
図２および図３を用いて光ピックアップ装置４の構成について説明する。図３に光ピックアップ装置４の概略構成図を示す。なお、図３において、図３の左右方向をＸ軸方向（第２方向）、発光素子１６の出射光軸に沿った方向（図３の上下方向）をＹ軸方向、Ｘ軸およびＹ軸に直交する方向（図３の紙面に垂直な方向）をＺ軸方向（第１方向）とし、図３において、右側をＸ軸方向正側、上側をＹ軸方向正側、紙面手前側をＺ軸方向正側とする。
図２および図３に示すように、光ピックアップ装置４は主に、光学台２０と、レーザー光を出射するとともに光ディスク２からの反射光を受光する半導体レーザーユニット２７と、発光素子１６から出射されるレーザー光を光ディスク２の情報記録面に導く光ピックアップ光学系１４と、から構成されている。
【００２１】
光ピックアップ光学系１４は、例えば発光素子１６からのレーザー光を折り曲げる反射光学系としてのプリズム１１と、レーザー光を平行光に変換するコリメータレンズ１９と、平行光を反射する反射鏡１２（図２参照）と、対物レンズ１３と、アクチュエータ１５と、から構成されている。対物レンズ１３は、反射鏡１２により折り曲げられたレーザー光を光ディスク２の記録面上に集光させる。アクチュエータ１５は、対物レンズ１３を光ディスク２に対してフォーカス方向およびトラッキング方向に駆動する。各部品は、光学台２０に収容されている。プリズム１１およびコリメータレンズ１９は、半導体レーザーユニット２７のＹ軸方向正側に配置されている。
図３に示すように、半導体レーザーユニット２７は主に、レーザー光を出射する半導体レーザー素子などの発光素子１６と、光ディスク２の記録面で反射されたレーザー光を検出して電流値に変換する受光素子（図示せず）と、発光素子１６から出射されたレーザー光からレーザー光の反射光を分離して受光素子に導くホログラムなどの光学素子（図示せず）と、発光素子１６が固定されるスライドホルダ１７と、光学台２０に対してスライドホルダ１７を支持するアオリホルダ１８と、から構成されている。
【００２２】
＜レンズ保持構造＞
ここで、コリメータレンズ１９を例に、レンズ保持構造について説明する。図４に図３のＡ−Ａ断面図、図５に押圧部材３０の概略斜視図を示す。
図３および図４に示すように、コリメータレンズ１９は、光学台２０の第１支持部２４と第２支持部２５との間に形成された空間に収容されており、光学台２０に接着固定された状態で押圧部材３０により押さえつけられている。具体的には図４に示すように、光学台２０は、コリメータレンズ１９のＺ軸方向負側（第１方向の一方側）に配置された１対の規制部としての第１当接部２２および第２当接部２３を有しており、コリメータレンズ１９は第１当接部２２および第２当接部２３により支持されている。コリメータレンズ１９は、Ｚ軸方向負側であってＹ軸方向（第２方向）両側に形成された第１外周部１９ｃおよび第２外周部１９ｄを有している。第１外周部１９ｃは第１当接部２２の第１当接面２２ａと当接している。第２外周部１９ｄは第２当接部２３の第２当接面２３ａと当接している。第１当接面２２ａおよび第２当接面２３ａは、例えば光軸Ｏを向いている。第１当接面２２ａおよび第２当接面２３ａとＹ軸方向とのなす角度は、例えば４５度である。
【００２３】
このように、コリメータレンズ１９は、第１当接部２２および第２当接部２３により、Ｙ軸方向の移動を規制されるとともに、Ｚ軸方向に位置決めされている。
コリメータレンズ１９は、Ｙ軸方向正側（第２方向の他方側）に形成された第３外周部１９ａを有している。第３外周部１９ａは、第２支持部２５に接着剤２８により固定されている。一方、コリメータレンズ１９と第１支持部２４との間には隙間Ｓが確保されている。接着剤２８により、コリメータレンズ１９のＸ軸方向の位置決めが行われている。
また、接着固定に加えて、コリメータレンズ１９は押圧部材３０により押さえつけられている。具体的には図４に示すように、押圧部材３０は、一体の板状部材であり、全体が弾性変形している状態でコリメータレンズ１９を第１当接部２２および第２当接部２３に押圧している。押圧部材３０は主に、第２支持部２５に固定される第１部分としての押圧部材本体３１と、押圧部材本体３１の端部に形成された第２部分としての押圧部３２と、から構成されている。
【００２４】
押圧部材本体３１は、Ｙ軸方向に延びる板状の部分であり、コリメータレンズ１９のＺ軸方向正側に配置されている。押圧部材本体３１のＹ軸方向正側の端部は、第２支持部２５の凹部２５ａに収容されており、例えば第２支持部２５に対してねじ３４により固定されている。図５に示すように、押圧部材本体３１のＸ軸方向の幅Ｌ１は、コリメータレンズ１９の外周部の厚みＬ２よりも大きく、コリメータレンズ１９のＸ軸方向の最大厚みとほぼ同じ寸法である。コリメータレンズ１９のＺ軸方向正側の外周部は、押圧部材本体３１により覆われている。押圧部材３０の材質としては、ステンレスや鋼板等の金属が挙げられる。このため、コリメータレンズ１９のＺ軸方向正側の雰囲気温度は、押圧部材３０により温度が均一になりやすい。これにより、コリメータレンズ１９の温度が周辺の空気温度の影響を受けにくくなる。なお、押圧部材３０の材質としては、金属が好ましいが、樹脂であってもよい。
【００２５】
押圧部３２は、押圧部材本体３１からコリメータレンズ１９側に折れ曲がっている部分であり、コリメータレンズ１９の第２外周部１９ｂと当接している。押圧部３２が第２外周部１９ｂと当接する面３２ａは、Ｚ軸方向負側およびＹ軸方向正側を向いており、コリメータレンズ１９を概ね光軸Ｏに向かって押圧している。このため、押圧部３２と第２外周部１９ｂとの接点における法線Ｐは光軸Ｏ周辺を通っている。法線ＰとＹ軸方向とのなす角度は、例えば４５度である。押圧部材３０は、第１支持部２４と当接しておらず、コリメータレンズ１９と同様に、押圧部材３０と第１支持部２４との間には隙間Ｓが確保されている。
このように、この光ピックアップ装置４では、コリメータレンズ１９は第１支持部２４と隙間Ｓを介した状態で、第２支持部２５に接着固定されるとともに、押圧部材３０により押圧されている。
【００２６】
＜記録再生装置の動作＞
図１〜図４を用いて、記録再生装置１の動作について説明する。
図１および図２に示すように、スピンドルモータ７によりカートリッジ３内の光ディスク２が回転駆動される。カートリッジ３の開口部３ａにおいて、光ディスク２の表面に形成された情報記録面の一部が露出している。光ディスク２の回転により、情報記録面の全てが外部に順次露出する。光ピックアップ装置４からレーザー光が情報記録面に対して出射される。光ピックアップ装置４は、移動機構５により光ディスク２に対して半径方向に駆動される。以上の構成により、光ピックアップ装置４からのレーザー光の照射位置を変更することができる。
また、光ピックアップ装置４においては、図３および図４に示すように、発光素子１６からＹ軸方向正側にレーザー光が出射される。このレーザー光は、プリズム１１、コリメータレンズ１９、反射鏡１２を介して対物レンズ１３に入射する。対物レンズ１３によりレーザー光が光ディスク２の情報記録面に集光される。アクチュエータ１５により対物レンズ１３はフォーカス方向およびトラッキング方向に移動する。
【００２７】
情報記録面で反射したレーザー光は、光ピックアップ光学系１４を介して光学素子（図示せず）に入射し、光学素子により受光素子（図示せず）へ導かれる。光学素子からのレーザー光は、受光素子により電流値に変換され、その電流値に基づいて情報記録面に記録されている情報が再生される。
以上の動作により、記録再生装置１では光ディスク２に対して情報の記録および再生が行われる。
＜作用効果＞
（１）
発光素子１６はレーザー光を出射するため発熱する。発光素子１６において発生する熱は、スライドホルダ１７およびアオリホルダ１８を介して光学台２０に伝達される。光学台２０に伝達された熱は、プリズム１１およびコリメータレンズ１９周辺に伝達される。このため、光学台２０では第１支持部２４の方が第２支持部２５よりも温度が高い。
【００２８】
この光ピックアップ装置４では、第１支持部２４とコリメータレンズ１９との間には隙間Ｓが確保されている。このため、第１支持部２４からコリメータレンズ１９へ熱が伝わるのを抑制することができ、コリメータレンズ１９の温度勾配を低減することができる。これにより、コリメータレンズ１９の光学性能の劣化を防止できる。
また、この光ピックアップ装置４では、コリメータレンズ１９の一端が第２支持部２５に接着固定されており、第２支持部２５に固定された押圧部材３０によりコリメータレンズ１９は光学台２０に押圧されている。このため、雰囲気温度が変化し、コリメータレンズ１９、光学台２０および押圧部材３０が膨張および収縮しても、コリメータレンズ１９と接着剤２８との間に作用する応力を低減することができ、コリメータレンズ１９の脱落を防止できる。
【００２９】
このように、この光ピックアップ装置４では、温度変化による光学性能の劣化を防止しつつ、温度変化による光学部品の脱落を防止できる。
（２）
この光ピックアップ装置４では、図４に示すように、コリメータレンズ１９には、第１当接部２２および第２当接部２３から荷重Ｆ２、Ｆ３が作用しており、それに加えて、押圧部材３０から荷重Ｆ１が作用している。
光軸Ｏに沿った方向から見た場合、例えば、押圧部材３０からの荷重Ｆ１がＹ軸方向に対して４５度傾斜しており、押圧部材３０およびコリメータレンズ１９の接点における法線Ｐが光軸Ｏ周辺を通っている。つまり、押圧部材３０は、コリメータレンズ１９を第１当接部２２および第２当接部２３だけでなく、接着剤２８に対してもコリメータレンズ１９を押圧していることになる。
【００３０】
例えば、雰囲気温度が高くなりコリメータレンズ１９や接着剤２８が膨張する場合を想定する。この場合、図４に示すように、コリメータレンズ１９はさらに接着剤２８から膨張により発生する荷重Ｆ４を受ける。
しかし、荷重Ｆ１のＹ軸方向の分力が荷重Ｆ４に対抗する荷重として作用するため、接着剤２８の膨張によりコリメータレンズ１９の位置がＹ軸方向にずれにくくなる。
また、例えば、雰囲気温度が低くなりコリメータレンズ１９や接着剤２８が収縮する場合、コリメータレンズ１９は接着剤２８によりＹ軸方向正側へ引っ張られる。このとき、押圧部材３０からの荷重Ｆ１により、コリメータレンズ１９は第２当接部２３に押圧されている。このため、接着剤２８が収縮する場合であっても、押圧部材３０および第２当接部２３によりコリメータレンズ１９のＹ軸方向への移動が抑制される。
【００３１】
このように、この光ピックアップ装置４では、温度変化によりコリメータレンズ１９がＹ軸方向へ移動するのを確実に抑制でき、温度変化により光学性能が劣化するのを防止できる。
ここで、コリメータレンズ１９の形状によっては、法線Ｐが光軸Ｏを通っていてもよい。例えば、コリメータレンズ１９が円形である場合は、法線Ｐが光軸Ｏを通っている方が好ましい。
（３）
以上のように、この光ピックアップ装置４では、光学性能の劣化を防止できるとともに、コリメータレンズ１９が温度変化により脱落するのを防止できる。したがって、この光ピックアップ装置４が搭載された記録再生装置１では、長時間使用して装置自体の温度が高くなっても、あるいは雰囲気温度が大きく変化しても、温度変化に伴う性能の低下を防止でき、使用環境や使用時間などに影響されない安定した性能を確保できる。
【００３２】
〔第２実施形態〕
前述の第１実施形態の他に、以下のような実施形態も考えられる。図６に第２実施形態に係る光ピックアップ装置１０４の概略斜視図、図７に図６のＢ−Ｂ断面図、図８に押圧部材１３０の概略斜視図を示す。
図６〜図８に示すように、第２実施形態の押圧部材１３０は、押圧部材本体１３１に開口部１３５が形成されている。開口部１３５は、接着剤２８のＺ軸方向正側に配置されており、接着剤２８とＹ軸方向の位置が概ね一致している。
この場合、コリメータレンズ１９を光学台２０にセットし押圧部材１３０を固定した後に、開口部１３５を利用して接着剤２８の充填作業を行うことができる。これにより、接着剤２８を充填した後に押圧部材３０を取り付ける場合に比べて、接着作業を行う際のコリメータレンズ１９の位置が安定し、接着工程の時間を短縮できる。
【００３３】
〔第３実施形態〕
前述の第１実施形態では、押圧部材３０と第１支持部２４との間に隙間Ｓが確保されているが、押圧部材３０の押圧力を高めるために、以下のような構成も考えられる。図９に第２実施形態に係る光ピックアップ装置２０４の概略断面図、図１０に押圧部材２３０の概略斜視図を示す。
図９および図１０に示すように、押圧部材２３０は、押圧部３２の先端部に第３部分としての係合部２３６が設けられている。係合部２３６は、押圧部３２から概ねＺ軸方向正側に延びており、第１支持部２２４の突出部２２４ａと係合している。より具体的には、係合部２３６の先端部は、突出部２２４ａのＺ軸方向負側の面２２４ｂに当接しており、突出部２２４ａから荷重Ｆ５を受けている。この結果、押圧部材本体３１に加えて押圧部３２も弾性変形する。これにより、コリメータレンズ１９への荷重Ｆ６が前述の荷重Ｆ１よりも大きくなり、コリメータレンズ１９をより確実に押圧することが可能となる。
【００３４】
また、この場合、係合部２３６と第１支持部２２４とが接触しているため、第１支持部２２４から押圧部材２３０へ熱が伝達されるおそれがある。
しかし、図１１に示すように、係合部２３６に切欠部２３７が形成されている場合であれば、係合部２３６と第１支持部２２４との接触面積を小さくすることができ、第１支持部２２４から押圧部材２３０への伝熱量を低減することができる。
〔他の実施形態〕
本発明の具体的な構成は、前述の実施形態に限られるものではなく、発明の要旨を逸脱しない範囲で種々の変更および修正が可能である。
（１）
前述の実施形態では、光ピックアップ装置４を例にレンズ保持構造について説明しているが、このレンズ保持構造が採用される装置は光ピックアップ装置に限定されない。例えば、レンズが搭載され、レンズの周辺に熱源が存在するような他の装置にも適用可能である。
【００３５】
（２）
コリメータレンズ１９の形は、前述のものに限定されない。例えば、レンズの形状は、光軸に沿った方向から見た場合に円形や楕円形などの他の形状であってもよい。
（３）
押圧部材の形状は、前述の実施形態に限定されない。同様の効果が得られるのであれば、他の形状であってもよい。
（４）
なお、前述の各実施形態は、様々なパターンで組み合わせて採用することができる。
【産業上の利用可能性】
【００３６】
本発明に係るレンズ保持構造、光ピックアップ装置および光学式情報記録再生装置では、温度変化による光学性能の劣化を防止しつつ、温度変化による光学部品の脱落を防止できる。このため、本発明は、小型かつ大容量の記録媒体に対して高倍速記録を行う光学式情報記録再生装置の分野において有用である。
【図面の簡単な説明】
【００３７】
【図１】記録再生装置の概略斜視図（第１実施形態）
【図２】記録再生装置の部分斜視図（第１実施形態）
【図３】光ピックアップ装置の概略構成図（第１実施形態）
【図４】図３のＡ−Ａ断面図（第１実施形態）
【図５】押圧部材の概略斜視図（第１実施形態）
【図６】光ピックアップ装置の概略斜視図（第２実施形態）
【図７】図６のＢ−Ｂ断面図（第２実施形態）
【図８】押圧部材の概略斜視図（第２実施形態）
【図９】光ピックアップ装置の断面図（第３実施形態）
【図１０】押圧部材の概略斜視図（第３実施形態）
【図１１】押圧部材の概略斜視図（第３実施形態の変形例）
【図１２】光ピックアップ装置の概略構成図（従来技術）
【図１３】図８のＣ−Ｃ断面図（従来技術）
【符号の説明】
【００３８】
１  記録再生装置
２  光ディスク（光学式情報記録媒体）
３  ディスクカートリッジ
４  光ピックアップ装置
６  トラバースベース
７  スピンドルモータ（回転駆動装置）
１１  プリズム（反射光学系）
１２  反射鏡
１３  対物レンズ（対物光学系）
１４  光ピックアップ光学系
１５  アクチュエータ
１６  発光素子
２０  光学台（支持部材）
２４  第１支持部
２５  第２支持部
２８  接着剤
３０  押圧部材
３１  押圧部材本体（第１部分）
３２  押圧部（第２部分）
１３５  開口部
２３６  係合部（第３部分）
２３７  切欠部
【図１】
2008192214.tif 000003
【図２】
2008192214.tif 000004
【図３】
2008192214.tif 000005
【図４】
2008192214.tif 000006
【図５】
2008192214.tif 000007
【図６】
2008192214.tif 000008
【図７】
2008192214.tif 000009
【図８】
2008192214.tif 000010
【図９】
2008192214.tif 000011
【図１０】
2008192214.tif 000012
【図１１】
2008192214.tif 000013
【図１２】
2008192214.tif 000014
【図１３】
2008192214.tif 000015